(57)【要約】【課題】このため、デジタル放送受信装置が待機状態であっても、通常状態と同様に電力を消費している構成要素があった。【解決手段】デジタル放送受信装置は、デジタル放送の信号を受信するチューナー１０と、受信したデジタル放送の信号を解析する解析部２０と、解析部２０が解析したデジタル放送の信号を利用する処理部３０と、電源の供給を停止すること、及びクロック周波数を下げることの少なくとも二つの要素を用いて特定する複数の消費電力低減モードを保持し、稼働状況に応じて、消費電力低減モードに基づいて、前記チューナー、前記処理部、及び前記解析部のうちの少なくとも一つの消費電力を制御する制御部と電源の供給を停止すること、及びクロック周波数を下げることを少なくとも含む複数の消費電力低減モードを保持し、稼働状況に応じて、消費電力低減モードを選択し、少なくとも処理部３０と解析部２０とを制御する制御部４０と、を備える。【選択図】図１
2010062708.tif 000002
【特許請求の範囲】
【請求項１】
デジタル放送の信号を受信するチューナーと、
受信したデジタル放送の信号を解析する解析部と、
前記解析部が解析したデジタル放送の信号を利用する処理部と、
電源の供給を停止すること、及びクロック周波数を下げることの少なくとも二つの要素を用いて特定する複数の消費電力低減モードを有し、稼働状況に応じて、前記複数の消費電力低減モードから一つを選択し、前記チューナー、前記処理部、及び前記解析部のうちの少なくとも一つの消費電力を制御する制御部と、を備えるデジタル放送受信装置。
【請求項２】
前記クロック周波数を下げることは、クロックの停止を含むことを特徴とする請求項１記載のデジタル放送受信装置。
【請求項３】
前記制御部は、前記クロックを停止する場合、クロックレベルを保持した状態でクロックを停止させることを特徴とする請求項２記載のデジタル放送受信装置
【請求項４】
前記解析部は、メモリの内容を保持したまま低消費電力な待機状態であるセルフリフレッシュ可能なメモリを少なくとも一つ備え、
前記制御部は、前記メモリをセルフリフレッシュモードに切り替えることを、前記複数の消費電力低減モードを特定する要素としてさらに有することを特徴とする請求項１乃至３のいずれか一項に記載のデジタル放送受信装置。
【請求項５】
前記制御部は、前記電源の供給を停止する対象として、前記解析部から前記セルフリフレッシュ可能なメモリを除いた部分、前記処理部、及び前記受信部との少なくともいずれかを対象とすることを特徴とする請求項４記載のデジタル放送受信装置。
【請求項６】
前記制御部は、前記クロック周波数を下げる対象として、前記解析部、及び前記受信部との少なくともいずれかを対象とすることを特徴とする請求項４または５記載のデジタル放送受信装置。
【請求項７】
前記制御部は、前記解析部に供給するクロック周波数を下げる場合、前記セルフリフレッシュ可能なメモリのうち、少なくとも一つを除いたメモリを前記セルフリフレッシュモードに切り替えることを特徴とする請求項６記載のデジタル放送受信装置。
【請求項８】
前記制御部は、消費電量低減モードとして、少なくとも、前記処理部の電源をオフにし、前記解析部のクロック周波数を通常状態より下げる第一待機モードと、前記処理部及び受信部の電源をオフにし、前記解析部のクロック周波数をゼロにし、前記セルフリフレッシュ可能なメモリ以外の電源をオフにする第二待機モードとを保持し、稼働状況に応じていずれか一方の待機モードを選択することを特徴とする請求項４乃至７のいずれか一項に記載のデジタル放送受信装置。
【発明の詳細な説明】
【技術分野】
【０００１】
本発明は、デジタル放送受信装置に関し、特に、消費電力を低減させるデジタル放送受信装置に関する。
【背景技術】
【０００２】
デジタル放送が開始され、デジタル放送を受信し、視聴するデジタル放送受信装置が開発されている。デジタル放送受信装置は、デジタル放送を送信するデジタル放送局から電波を受信するものであり、テレビやラジオによる放送を受信するだけでなく、電子番組ガイドやデータ放送などのデジタル放送に関連する情報を受信する機能を備えている。このため、視聴者がデジタル放送受信装置を使用してデジタル放送を視聴していない期間においても、動作を継続するデバイスを有する。
【０００３】
図５は、関連するデジタル放送受信装置の構成例を示すものである。例えば、デジタル放送受信装置の利用者が、デジタル放送を視聴しない状態、例えば、装置のスイッチをｏｆｆにした場合、表示部３４ｐの電源の供給を停止していた。また、デジタル放送を視聴しない状態であっても、例えばチャネル情報やアップデート情報の受信のために動作するデバイスへ電源を供給していた。このように、デジタル放送受信装置は、電源がｏｆｆになっている様に見える状態でも、少なくともチューナー及び解析部の一方には電源が投入されたままになっていた。
【０００４】
昨今では、消費電力の低減、とりわけ装置が待機状態である場合の消費電力の低減が求められている。例えば、特許文献１には、携帯システムの消費電力とパフォーマンスの向上を容易に対応することができる技術が開示されている。また、特許文献２，３には、装置の待機状態での消費電力の低減を図る装置が開示されている。
【特許文献１】特開２００２−１７０３８３号公報
【特許文献２】特開２００８−００４２４９号公報
【特許文献３】特開２００４−３２６１５３号公報
【発明の開示】
【発明が解決しようとする課題】
【０００５】
しかしながら、デジタル放送受信装置では、図５に示すように、装置のスイッチをｏｆｆにした待機状態であっても、デジタル放送に関連する情報を受信するデバイスが動作している、あるいは、動作可能な状態であった。このため、デジタル放送受信装置が待機状態であっても、通常状態と同様に電力を消費している構成要素があった。
【課題を解決するための手段】
【０００６】
本発明に係るデジタル放送受信装置の一態様は、デジタル放送の信号を受信するチューナーと、受信したデジタル放送の信号を解析する解析部と、前記解析部が解析したデジタル放送の信号を利用する処理部と、電源の供給を停止すること、及びクロック周波数を下げることの少なくとも二つの要素を用いて特定する複数の消費電力低減モードを保持し、稼働状況に応じて、消費電力低減モードを選択し、前記チューナー、前記処理部、及び前記解析部のうちの少なくとも一つの消費電力を制御する制御部と、を備える。制御部が稼働状況に応じて、前記チューナー、処理部若しくは解析部の電源の供給停止、クロック周波数を下げるなどを行うことにより、待機状態における消費電力の低減を実現することができる。例えば処理部への電源供給を停止する構成要素を従来の構成要素数より増やすことによって、より多くの消費電力の削減を可能にすることができる。また、供給するクロック周波数を下げることによっても消費電力を低減させることができる。さらに、電源供給の停止とクロック周波数を下げることを組み合わせることにより、さらに消費電力を低減することが可能となる。
【発明の効果】
【０００７】
本発明によれば、デジタル放送受信装置が待機状態である場合に、消費電力を低減することが可能となる。
【発明を実施するための最良の形態】
【０００８】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
また、本明細書では、同じ構成要素が複数存在し、それぞれを区別する場合に、符号に"−ｎ"（ｎ＞０の整数）付加して、複数の構成要素それぞれを区別するものとする。以下の実施形態では、セルフリフレッシュ可能なメモリとしてＲＡＭを用いて説明する。例えば、図１では、複数のＲＡＭ２４−１、・・・２４−ｊ（図１では、ｊ＝２）を示している。例えば、図１を用いて説明する場合、ＲＡＭ２４は、複数のＲＡＭ２４−１〜ＲＡＭ２４−ｊのいずれか一つまたは複数を示すものとし、ＲＡＭ２４−１（あるいは、ＲＡＭ２４−２など）は、複数のＲＡＭをそれぞれ区別して示すものとする。
【０００９】
（実施形態１）
図１は、本発明の実施形態１のデジタル放送受信装置の構成例を示す図である。デジタル放送受信装置は、チューナー１０、解析部２０、処理部３０、及び制御部４０を備える。
【００１０】
チューナー１０は、デジタル放送を送信するデジタル放送局から送信されるデジタル放送の信号（ストリーム）を受信する。
【００１１】
解析部２０は、受信したデジタル放送の信号を解析する。図１では、解析部２０は、ストリーム解析部２１、メモリ・インタフェース２２、ＲＯＭ（Read Only Memory）２３、ＲＡＭ（Random Access Memory）２４−１、２４−２（以下適宜、「ＲＡＭ２４」と記す）を備える。本実施の形態においては、ＲＡＭ２４を２つ備える場合を示しているが、この数は一例であり、３つ以上であってもよいし、１つのみであってもよい。ＲＯＭ２３の数も一例であり、２つ以上のＲＯＭを備えていてもよい。また、以下の説明では、ＲＯＭ２３及びＲＡＭ２４をまとめて、メモリ群ということもある。
【００１２】
ストリーム解析部２１は、チューナー１０が受信したデジタル放送の信号を解析し、処理部３０が利用できる形式に変換する。メモリ・インタフェース２２は、ストリーム解析部２１とメモリ群とのデータの送受信を仲介する。ＲＡＭ２４は、ストリーム解析部２１が解析処理を実行する場合に一時的にデータを保存するなどに利用される。
【００１３】
処理部３０は、解析部２０が解析したデジタル放送の信号を利用する。図１では、光ディスクドライブ（Optical Disc Drive）３１、ハードディスクドライブ（Hard Disc Drive）３２、画像、音声処理部３３、及び表示部３４を一例として示している。光ディスクドライブ（Optical Disc Drive）３１は、光ディスクからデータを読み出すとともに、光ディスクへデータを書き込む装置である。ハードディスクドライブ３２は、ハードディスクからデータを読み出すとともに、ハードディスクへデータを書き込む。画像、音声処理部３３は、ストリーム解析部２１が解析したデータを表示部３４に表示できるように、画像、音声データを処理（例えば、データ形式の変換など）する。表示部３４は、デジタル放送を表示する。
【００１４】
制御部４０は、低消費電力モードの情報を保持し、稼働状況に応じて、消費電力を低減させる処理を実行する。制御部４０は、低消費電力モードの情報を用いて制御する対象として、チューナー１０、あるいは解析部２０及び処理部３０それぞれに含まれる構成要素（例えば、ストリーム改正部２１、表示部３４など）の少なくとも一つを対象とする。
【００１５】
低消費電力モード（待機モード）は、（１）電源の供給を停止すること、（２）クロック周波数を下げること、（３）メモリをセルフリフレッシュモードに切り替えること、の各要素を用いて、待機状態における消費電力の低減を図るモードを特定する。（３）メモリをセルフリフレッシュモードに切り替えること、という要素については、装置が有するメモリがセルフリフレッシュ機能を備えるメモリである場合に限られる。複数の低消費電力モードは、上述した（１）から（３）、または（１）と（２）の要素を、どの構成要素に適用するかについて定義する。待機モードの具体例については後述する。低消費電力モードは、チューナー１０、解析部２０及び処理部３０のうちのどの構成要素に適用するかについても特定する。上述した要素（１）から（３）は一例であり、これらに限られず、その他の要素により消費電力の低減を実現してもよい。
なお、クロック周波数を下げることは、クロック周波数を下げてゼロにすること、すなわちクロックの停止も含む。低消費電力モードは、複数の異なるモードを含む。従って、制御部４０は、稼働状況に応じて、複数のモードのうちの一つを選択し、選択したモードに基づいて各構成要素を制御する。
【００１６】
図１では、制御部４０の機能を実現するため、リモコン入力４１、キーセンサ４２、ＣＰＵフロントマイコン４３、ＣＰＵコントローラ部４４、及びクロック生成部４５から構成されている例を示している。
【００１７】
リモコン入力４１及びキーセンサ４２は、利用者からの指示を入力する入力手段である。
【００１８】
ＣＰＵフロントマイコン４３は、低消費電力モードを保持し、デジタル放送受信装置の稼働状況に応じて、モードを選択し、各構成要素を制御する。ＣＰＵフロントマイコン４３の詳細については、図２を用いて後述する。
【００１９】
ＣＰＵコントローラ部４４は、デジタル放送受信装置の稼働状況、具体的には、チューナー１０、解析部２０及び処理部３０の稼働状況を検出し、ＣＰＵフロントマイコン４３へ通知する。また、クロック生成部４５が生成するクロックの周波数を制御する。ＣＰＵコントローラ部４４は、ＣＰＵフロントマイコン４３の指示に基づいて、クロック生成部４５が供給するクロック周波数を指示する。
【００２０】
クロック生成部４５は、ＣＰＵコントローラ部４４からの指示に基づいて、チューナー１０、ストリーム解析部２１、メモリ・インタフェース２２、及び処理部３０の各構成要素に供給するクロックを生成する。
【００２１】
続いて、図２を用いて、ＣＰＵフロントマイコン４３の構成例を詳細に説明する。図２は、制御部の構成例を示す図である。ＣＰＵフロントマイコン４３は、低消費電力モード記憶部４３１、モード選択部４３２、及び電力制御部４３３を備える。また、図２では、制御部４０と電源５０との関係を示している。
【００２２】
低消費電力モード記憶部４３１は、複数の低消費電力モードを保持する記憶領域である。鄭消費電力モード記憶部４３１は、低消費電力モード毎に、対応する稼働状況を、各モードと対応させて記憶していてもよい。この場合、モード選択部４３２は、対応する稼働状況に基づいて、低消費電力モードを選択することができる。一方、モード選択部４３２自体に、稼働状況と低消費電力モードとを対応づける情報を保持していてもよい。低消費電力モード記憶部４３１に対応する稼働状況を保持する場合、稼働状況と低消費電力モードとの対応づけを、記録領域に保持する情報を書き換えることによって実現することが可能になり、対応づけの書き換えが容易になる。
【００２３】
モード選択部４３２は、稼働状況を、リモコン入力４１、キーセンサ４２、及びＣＰＵコントローラ部４４から入力し、稼働状況に応じて、低消費電力モード記憶部４３１に記憶する複数の低消費電力モードから一つの低消費電力モードを選択する。そして、選択した低消費電力モードを電力制御部４３３及びＣＰＵコントローラ部４４に通知する。具体的には、モード選択部４３２は、リモコン入力４１及びキーセンサ４２から利用者が所望する動作を受け付ける。例えば、デジタル放送の表示の開始、録画の開始、録画予約の受け付け、録画映像の再生などである。また、ＣＰＵコントローラ部４４からチューナー１０、解析部２０及び処理部３０の稼働状況を受け付ける。例えば、解析部２０または処理部３０の各構成要素のうち、稼働中の構成要素がどれであるか、などである。モード選択部４３２は、受け付けた稼働状況に応じて、低消費電力モードを選択し、選択した低消費電力モードを電力制御部４３３及びＣＰＵコントローラ部４４に通知する。
【００２４】
電力制御部４３３は、モード選択部４３２から通知された低消費電力モードに基づいて、供給する電力を制御する。例えば、電力供給の停止、あるいは供給する電力の低減を行う。
【００２５】
電源５０は、電力制御部４３３の指示に基づいて、各構成要素に電力を供給する。電源５０は、各構成要素に対して、適切な電圧で電力を供給する。また、ＲＡＭ２４がセルフリフレッシュを実施する場合、セルフリフレッシュに必要な電力を供給し続けることになる。電源５０の複数の矢印は、電力を供給する各構成要素に接続される（図２では接続先を省略して示している）。
【００２６】
また、ＣＰＵコントローラ部４４は、モード選択部４３２から通知される低消費電力モードに基づいて、クロック生成部４５が供給するクロック周波数を制御する。クロック生成部４５は、各構成要素に対応する周波数のクロックを生成し、供給する。クロック生成部４５の複数の矢印は、省略して示しているが、クロック供給が必要な各構成要素に接続される（図２では接続先を省略して示している）。
【００２７】
続いて、具体的に低消費電力モードを制御する具体例を説明する。ここでは、制御部４０は、稼働状況（待機状態のレベル）により電源、動作クロックを切り替える、または、メモリを待機状態にする、さらには、少なくともメモリとＣＰＵを除いたクロックレベルの保持機能を有することを前提とする。また、ＲＡＭ２４は、セルフリフレッシュ機能を有するＳＤＲＡＭ（Synchronous Dynamic Random Access Memory）であるものとする。
【００２８】
例えば、ＣＰＵフロントマイコン４３が、低消費電力モードとして、次の二つのモードを保持する場合を考える。
（１）待機モード１
・ＲＡＭ２４を部分的にセルフリフレッシュモードに切り替える。
・処理部３０（周辺回路）の電源をｏｆｆする。
・クロック周波数を下げる。
（２）待機モード２
・ＲＡＭ２４の状態を保持したままＲＡＭ２４をセルフリフレッシュモードに切り替える。
・ＲＡＭ２４以外の電源をｏｆｆにする。
・クロックを停止する。
【００２９】
図３に制御部４０が待機モード１を用いて各構成要素を低消費電力モードに調整した状態を示している。チューナー１０及び制御部４０の状態に変更はない（点線で囲む部分）。処理部３０は、電源をｏｆｆにされた状態である（一点鎖線で囲む部分）。解析部２０は、クロック周波数を下げられ、ＲＡＭの一部がセルフリフレッシュ状態にされている（セルフリフレッシュモードに切り替えるＲＡＭ２４−２を除いて、二点鎖線で囲む部分）。待機モード１において、ＲＡＭを部分的にセルフリフレッシュモードに切り替えるとは、複数のＲＡＭ２４を有する場合、ストリーム解析部２１が利用するＲＡＭを通常状態にし、使用しないＲＡＭ２４をセルフリフレッシュ状態にすることを意味する。ＲＡＭ２４をセルフリフレッシュモードに切り替える場合、状態を保持したまま、具体的には、ＲＡＭ２４のデータと設定値を保持したまた、セルフリフレッシュモードに切り替える。ここでは、ＲＡＭ２４−１を通常状態、ＲＡＭ２４−２をセルフリフレッシュ状態としている。クロック周波数を下げる対象としては、ストリーム解析部２１及びメモリ・インタフェース２２である。
【００３０】
図３に示すように、処理部３０は、機能が完全に停止しており、消費電力ゼロの状態である。解析部２０は、待機状態に必要な機能を、通常状態より低速な動作で実現しており、消費電力を通常状態より低減した状態である。待機モード１では、チューナー１０及び制御部４０は通常状態である。従って、チューナー１０から、デジタル放送のチャネル情報やアップデート情報を受信することが可能となる。また、解析部２０は、クロック周波数が下がっているため、通常状態より低速で処理することになる。
【００３１】
このように、必要の無いブロックの電源をｏｆｆにすると共に、電波受信と情報の解析に必要のないメモリも待機状態にすることで消費電力を低減することが可能である。また、必要性能も表示時に比べて低くなることから動作クロックも低い周波数にすることが可能である。動作周波数（すなわち、クロック周波数）が下がることで更に低消費電力化を図ることができる。
【００３２】
図４に制御部４０が待機モード２を用いて各構成要素を低消費電力モードに調整した状態を示している。制御部４０の状態に変更はない（点線で囲む部分）。チューナー１０、処理部３０は、電源をｏｆｆにされた状態である（一点鎖線で囲む部分）。解析部２０は、ＲＡＭ２４を除いて電源がｏｆｆにされ、クロックが停止された状態である（セルフリフレッシュモードに切り替えるＲＡＭ２４を除いて、二点鎖線で囲む部分）。図４に示すように、チューナー１０、ＲＡＭ２４を除く解析部２０及び処理部３０は、機能が完全に停止しており、消費電力ゼロの状態である。制御部４０は通常状態で稼働しているものの、電源の供給としては、ＲＡＭ２４のセルフリフレッシュのための電源が供給されるにとどまっている。このように、待機モード１の状態よりさらに消費電力を低減している。待機モード２では、制御部４０は通常状態であり、ＲＡＭ２４は、機能停止前の状態を保持している。また、クロックの停止は、状態を保持したまま停止する。従って、処理再開時には停止時の状態を用いて、各機能を再開することが可能になる。
【００３３】
以上説明したように、本実施形態によれば、電波受信と情報の解析に必要の無い部分のみ電源をｏｆｆにすると共にクロック周波数の低減および停止により待機状態での消費電力の低減を行うことができる。これに加え、ＲＡＭ２４の状態を保持したままセルフリフレッシュモードに切り替えることにより、メモリに稼動状態のデータを保持するため、起動時間の短縮を図ることができる。特に、ＲＭＡ２４にＤＤＲ（Double Data Rate）メモリを用いる場合、ＤＤＲメモリはデータを保持しながら外部制御を受け付けない待機状態であるセルフリフレッシュモードに切り替えることができる。セルフリフレッシュに切り替えた場合、このメモリの待機状態は消費電力が１／２以下になる。従って、ＤＤＲメモリを用いているデジタル放送受信層装置では、メモリをセルフリフレッシュモードに切り替えると、消費電力低減の効果が大きくなる。
【００３４】
さらに、クロックの停止状態を保持したままで実施することにより、起動時間の短縮を図ることが可能となる。具体的には、クロックを停止する場合、クロックレベルを保持してクロックを停止する。これにより、クロックの停止時の状態を保持するため、クロックの供給を再開した時に、クロックを停止した状態から処理を開始することができる。従って、再起動時における処理開始までの時間を短縮することが可能になる。具体的には、クロックレベルを保持しないでクロックを停止した場合に比べ、デジタル放送コンテンツを表示部３４に表示するまでの時間の短縮、あるいは、光ディスクやハードディスクからの読み出し、書き込みの処理開始までの時間の短縮を図ることができる。
【００３５】
（実施形態２）
実施形態１では、ＲＡＭ２４がセルフリフレッシュ可能なメモリであることを前提として説明したが、セルフリフレッシュできない場合であっても本発明を適用することは可能である。デジタル放送受信装置の基本的な構成は図１と同様である。この場合、ＣＰＵフロントマイコン４３が保持する低消費電力モードの情報が異なってくる。低消費電力モードの情報には、メモリをセルフリフレッシュモードに切り替える要素が含まれないことになる。この場合であっても、電力の供給を停止すること、クロック周波数を下げることによって、チューナー１０、解析部２０、及び処理部３０の消費電力の低減を図ることができる。
【００３６】
（実施形態３）
実施形態１では、低消費電力モードとして二つの待機モードを具体例として説明した。制御部４０（ＣＰＵフロントマイコン４３）は、これら以外の待機モードを保持し、稼働状況に応じて使用する待機モードを選択する場合であってもよい。低消費電力モードは、制御対象の構成要素（例えば、チューナー１０など）と、制御する要素（例えば、クロック周波数のレベル、電源の供給量など）とを特定する情報であれば、実施形態１で説明した待機モード１、２に限られる必要はない。
【００３７】
また、図１では、光ディスクドライブ、ハードディスクドライブを備える構成例を示したが、これらのディスクドライブを備えていない装置、具体的には、デジタル放送の録画機能を備えておらず、表示機能のみ（例えば、処理部３０が画像、音声処理部３３と表示部３４から構成される）を備える装置であっても、本発明を提供することは可能であり、消費電力の低減を図ることができる。
【００３８】
なお、本発明は上記に示す実施形態に限定されるものではない。本発明の範囲において、上記実施形態の各要素を、当業者であれば容易に考えうる内容に変更、追加、変換することが可能である。
【図面の簡単な説明】
【００３９】
【図１】本発明の実施形態１のデジタル放送受信装置の構成例を示す図である。
【図２】制御部の構成例を示す図である。
【図３】制御部が待機モード１を用いて各構成要素を低消費電力モードに調整した状態を示している。
【図４】制御部が待機モード２を用いて各構成要素を低消費電力モードに調整した状態を示している。
【図５】従来のデジタル放送受信装置の構成例を示す図である。
【符号の説明】
【００４０】
１０  チューナー
２０  解析部
３０  処理部
４０  制御部
２１  ストリーム解析部
２２  メモリ・インタフェース
２３  ＲＯＭ
２４−１、２４−２  ＲＡＭ
３１  光ディスクドライブ
３２  ハードディスクドライブ
３３  画像、音声処理部３３
３４  表示部
４１  リモコン入力
４２  キーセンサ
４３  ＣＰＵフロントマイコン
４４  ＣＰＵコントローラ部
４５  クロック生成部
４３１  低消費電力モード記憶部
４３２  モード選択部
４３３  電力制御部
【図１】
2010062708.tif 000003
【図２】
2010062708.tif 000004
【図３】
2010062708.tif 000005
【図４】
2010062708.tif 000006
【図５】
2010062708.tif 000007